(57)【特許請求の範囲】
【請求項１】
第１の垂直同期信号を含み、かつカラーフレーム情報を含まない第１の映像信号を取得する映像情報取得部と、
前記第１の垂直同期信号と同じ周期の第１の基準信号を生成する第１基準信号生成部と、
前記第１の基準信号とは異なる周期の第２の基準信号を生成する第２基準信号生成部と、
前記第１の基準信号と前記第２の基準信号とが同期しているか否かを検出し、検出結果を出力する同期検出部と、
少なくとも前記検出結果に基づいて、前記第１の基準信号または第２の基準信号のいずれを選択するかを示す制御信号を出力する基準信号制御部と、
前記制御信号に基づいて、前記第１の基準信号または前記第２の基準信号の一方を選択してカラーフレーム情報を生成するカラーフレーム情報生成部と、
前記第１の映像信号を、前記カラーフレーム情報を含む第２の映像信号に変換する変換部と
を備えた、映像信号変換装置。
【請求項２】
前記検出結果が、前記第１の基準信号と前記第２の基準信号とが同期していることを示す場合には、前記基準信号制御部は第２の基準信号を選択する制御信号を出力する、請求項１に記載の映像信号変換装置。
【請求項３】
前記映像信号変換装置は、
第１の基準信号および第２の基準信号のいずれを選択するかを示す、ユーザからの指示を受け取るユーザインターフェース部をさらに備え、
前記基準信号制御部は、前記検出結果と前記ユーザからの指示とに基づいて、前記制御信号を出力する、請求項１に記載の映像信号変換装置。
【請求項４】
前記変換部は、前記制御信号に基づいて基準信号を決定し、決定した前記基準信号にしたがって前記第１の映像信号を前記第２の映像信号に変換する、請求項３に記載の映像信号変換装置。
【請求項５】
前記ユーザからの指示に基づいて、前記カラーフレーム情報を表すカラーフレーム信号の位相を変更して、前記変換部に出力する位相制御部をさらに備えた、請求項１に記載の映像信号変換装置。
【請求項６】
少なくとも２台の請求項５に記載の映像信号変換装置と、
前記少なくとも２台の映像信号変換装置で得られたそれぞれの前記第２の映像信号を受け取り、択一的に出力するスイッチャーと、
前記スイッチャーから出力された前記第２の映像信号を記録する記録装置と
を備えた、映像信号変換記録システム。
【請求項７】
第１の垂直同期信号を含み、かつカラーフレーム情報を含まない第１の映像信号を取得するステップと、
前記第１の垂直同期信号と同じ周期の第１の基準信号を生成するステップと、
前記第１の基準信号とは異なる周期の第２の基準信号を生成するステップと、
前記第１の基準信号と前記第２の基準信号とが同期しているか否かを検出し、検出結果を出力するステップと、
少なくとも前記検出結果に基づいて、前記第１の基準信号または第２の基準信号のいずれを選択するかを示す制御信号を出力するステップと、
前記制御信号に基づいて、前記第１の基準信号または前記第２の基準信号の一方を選択してカラーフレーム情報を生成するステップと、
前記第１の映像信号を、前記カラーフレーム情報を含む第２の映像信号に変換するステップと
からなる、映像信号変換方法。
【請求項８】
前記検出結果が、前記第１の基準信号と前記第２の基準信号とが同期していることを示す場合には、制御信号を出力する前記ステップにおいて、第２の基準信号を選択する制御信号を出力する、請求項７に記載の映像信号変換方法。
【請求項９】
前記映像信号変換方法は、
第１の基準信号および第２の基準信号のいずれを選択するかを示す、ユーザからの指示を受け取るステップをさらに含み、
制御信号を出力する前記ステップは、前記検出結果と前記ユーザからの指示とに基づいて、前記制御信号を出力する、請求項７に記載の映像信号変換方法。
【請求項１０】
変換する前記ステップは、前記制御信号に基づいて基準信号を決定し、決定した前記基準信号にしたがって前記第１の映像信号を前記第２の映像信号に変換する、請求項９に記載の映像信号変換方法。
【請求項１１】
前記ユーザからの指示に基づいて、前記カラーフレーム情報を表すカラーフレーム信号の位相を変更するステップをさらに含み、
変換する前記ステップは、位相を変更されたカラーフレーム信号を用いて変換する、請求項７に記載の映像信号変換方法。
【発明の詳細な説明】
【０００１】
【発明の属する技術分野】
本発明は、映像信号の方式変換を行う映像信号変換装置、方法および映像信号変換記録システムに関する。
【０００２】
【従来の技術】
一般にＮＴＳＣ方式の標準解像度カラー映像信号（以下、「ＳＤ信号」）は、伝送帯域や処理回路が取り扱う周波数帯域を抑えるために１つのカラー画像（フレーム）を２回に分けて走査して生成される。２回に分けて走査されたカラー画像のそれぞれは「フィールド」と呼ばれ、この走査はインターレース走査と呼ばれている。ＮＴＳＣ方式ではフィールド間の信号の干渉を低減するため、各フィールドの副搬送波（サブキャリア）の位相に着目して、副搬送波の位相を水平同期パルスの位相から９０度ずつずらし、２フレームに相当する４つのフィールドで位相が一巡するように構成されている。各フィールドの水平同期パルスと副搬送波との位相差は、０°、９０°、１８０°、２７０°のように４種類に分けられる。それぞれの位相差に対して、カラーフレームおよびフィールドは、（カラーフレームＡ、フィールド１）、（カラーフレームＡ、フィールド２）、（カラーフレームＢ、フィールド３）、（カラーフレームＢ、フィールド４）のように関係づけることができる。したがって水平同期パルスと副搬送波との位相関係が得られれば、どのカラーフレームのどのフィールドであるかを判定することができる。この位相関係は、カラーフレーム情報（以下、「ＣＦ情報」）と呼ばれている。
【０００３】
カラーフレームを含まない高解像度カラー映像信号（以下、「ＨＤ信号」）をＳＤ信号に方式変換（フォーマット変換）する場合には、変換後のフレームがいずれのカラーフレームに属するかを決定しなければならない。そのためにはＣＦ情報が必要である。例えば、特開昭６３−１３５０９３号公報では、２フレームパルス発生回路からの２フレーム周期のパルスに基づいて周期が２フレームのカラーフレームリセットパルスを作り、これを１／４分周器で分周する技術を開示している。これによりランダムなＣＦ情報が生成され、ＨＤ信号からダウンコンバートしたＳＤ信号のフィールドに付加することができる。ユーザが外部ＨＤ基準信号に基づいて装置を動作させる場合にも、ＳＤ信号のＣＦ情報は任意の位相で（いわゆるフリーランで）付加されている。一方、装置の外部から入力した外部ＳＤ基準信号のＣＦ情報を利用して、ＣＦ情報を順に付加する技術も存在する。
【０００４】
【発明が解決しようとする課題】
ＣＦ情報をフィールドにランダムに付加し、または順に付加するのみでは、カラーフレーム間の不整合により解像度が劣化することがある。解像度の劣化が起こる１つの例は、ＳＤ信号をアップコンバートして得られたＨＤ信号を、ふたたびＳＤ信号にダウンコンバートする場合である。この場合に解像度が劣化する原因は、ダウンコンバート後のＳＤ信号のカラーフレームが、アップコンバートによって失われた元のＳＤ信号のカラーフレームと整合しなかったからである。現在、ＨＤ信号で記録された高解像度映像情報の数はまだ比較的少なく、それに対し、ＳＤ信号で記録された標準解像度映像情報の数は豊富である。そのため、ＳＤ信号として豊富に存在している標準解像度映像情報をアップコンバートして高解像度映像情報として利用し、再びＳＤ信号で記録する上述の例のような機会はまだ多い。従来の技術を利用すると解像度の劣化を避けることができない以上、ユーザにとっては不都合が多い。
【０００５】
さらに別の問題を図４を参照して説明する。外部ＳＤ基準信号を用いると、ＨＤ信号をコンポジットＳＤ信号Ａにダウンコンバートする際に、その外部ＳＤ基準信号のＣＦ情報を利用してＣＦ情報を得ることができ、コンポジットＳＤ信号Ａを得ることができる。同様に別のＶＴＲ４００においても、外部ＳＤ基準信号に基づくＣＦ情報を持つコンポジットＳＤ信号Ｂを得ることができる。しかし、信号Ａと信号ＢとからコンポジットＳＤ信号Ｃを生成した場合、信号ＡおよびＢがそれぞれ単独ではフレーム間の整合がとれているとしても、双方のカラーフレームの位相が整合しないために、信号Ｃのカラーフレーム間の整合がとれないことがある。これでは、ＳＤ信号Ｃの解像度が低下してしまう。
【０００６】
本発明は、ＨＤ信号をＳＤ信号へダウンコンバートする場合に、映像の解像度がよい映像信号変換装置、方法および映像信号変換記録システムを提供することを目的とする。
【０００７】
【課題を解決するための手段】
本発明の映像信号変換装置は、第１の垂直同期信号を含み、かつカラーフレーム情報を含まない第１の映像信号を取得する映像情報取得部と、前記第１の垂直同期信号と同じ周期の第１の基準信号を生成する第１基準信号生成部と、前記第１の基準信号とは異なる周期の第２の基準信号を生成する第２基準信号生成部と、前記第１の基準信号と前記第２の基準信号とが同期しているか否かを検出し、検出結果を出力する同期検出部と、少なくとも前記検出結果に基づいて、前記第１の基準信号または第２の基準信号のいずれを選択するかを示す制御信号を出力する基準信号制御部と、前記制御信号に基づいて、前記第１の基準信号または前記第２の基準信号の一方を選択してカラーフレーム情報を生成するカラーフレーム情報生成部と、前記第１の映像信号を、前記カラーフレーム情報を含む第２の映像信号に変換する変換部とを備えており、これにより上記目的が達成される。この発明によれば、ＨＤ基準信号とＳＤ基準信号が同期しているか否かを検出し、同期していれば、その基準ＳＤ信号のＣＦ情報を利用してコンバート後のＳＤ信号のＣＦ情報を生成する。これにより、自動的に適切な位相のＣＦ情報をＳＤ信号に付加することができ、映像の解像度劣化を防ぐことができる。
【０００８】
前記検出結果が、前記第１の基準信号と前記第２の基準信号とが同期していることを示す場合には、前記基準信号制御部は第２の基準信号を選択する制御信号を出力してもよい。
【０００９】
前記映像信号変換装置は、第１の基準信号および第２の基準信号のいずれを選択するかを示す、ユーザからの指示を受け取るユーザインターフェース部をさらに備え、前記基準信号制御部は、前記検出結果と前記ユーザからの指示とに基づいて前記制御信号を出力してもよい。
【００１０】
前記変換部は、前記制御信号に基づいて基準信号を決定し、決定した前記基準信号にしたがって前記第１の映像信号を前記第２の映像信号に変換してもよい。
【００１１】
前記ユーザからの指示に基づいて、前記カラーフレーム情報を表すカラーフレーム信号の位相を変更して、前記変換部に出力する位相制御部をさらに備えていてもよい。この発明によれば、ユーザが任意の位相でＳＤ信号にＣＦ情報を付加することができるので、カラーフレーム間の整合を容易にとることができる。したがって、映像の解像度劣化を防ぐことができる。
【００１２】
本発明の映像信号変換記録システムは、少なくとも２台の上記映像信号変換装置と、前記少なくとも２台の映像信号変換装置で得られたそれぞれの前記第２の映像信号を受け取り、択一的に出力するスイッチャーと、前記スイッチャーから出力された前記第２の映像信号を記録する記録装置とを含んでおり、これにより上記目的が達成される。この発明によれば、ユーザが任意の位相でＳＤ信号にＣＦ情報を付加することができるので、複数のＳＤ信号を混在させてもカラーフレーム間の整合を容易にとることができる。したがって、映像の解像度劣化を防ぐことができる。
【００１３】
本発明の映像信号変換方法は、第１の垂直同期信号を含み、かつカラーフレーム情報を含まない第１の映像信号を取得するステップと、前記第１の垂直同期信号と同じ周期の第１の基準信号を生成するステップと、前記第１の基準信号とは異なる周期の第２の基準信号を生成するステップと、前記第１の基準信号と前記第２の基準信号とが同期しているか否かを検出し、検出結果を出力するステップと、少なくとも前記検出結果に基づいて、前記第１の基準信号または第２の基準信号のいずれを選択するかを示す制御信号を出力するステップと、前記制御信号に基づいて、前記第１の基準信号または前記第２の基準信号の一方を選択してカラーフレーム情報を生成するステップと、前記第１の映像信号を、前記カラーフレーム情報を含む第２の映像信号に変換するステップとを含んでおり、これにより上記目的が達成される。この発明によれば、ＨＤ基準信号とＳＤ基準信号が同期しているか否かを検出し、同期していれば、その基準ＳＤ信号のＣＦ情報を利用してコンバート後のＳＤ信号のＣＦ情報を生成する。これにより、自動的に適切な位相のＣＦ情報をＳＤ信号に付加することができ、映像の解像度劣化を防ぐことができる。
【００１４】
前記検出結果が、前記第１の基準信号と前記第２の基準信号とが同期していることを示す場合には、前記制御信号を出力するステップにおいて、第２の基準信号を選択する制御信号を出力してもよい。
【００１５】
前記映像信号変換方法は、第１の基準信号および第２の基準信号のいずれを選択するかを示す、ユーザからの指示を受け取るステップをさらに含み、前記制御信号を出力するステップは、前記検出結果と前記ユーザからの指示とに基づいて前記制御信号を出力してもよい。
【００１６】
前記変換するステップは、前記制御信号に基づいて基準信号を決定し、決定した前記基準信号にしたがって前記第１の映像信号を前記第２の映像信号に変換してもよい。
【００１７】
前記ユーザからの指示に基づいて、前記カラーフレーム情報を表すカラーフレーム信号の位相を変更するステップをさらに含み、前記変換するステップは、位相を変更されたカラーフレーム信号を用いて変換してもよい。この発明によれば、ユーザが任意の位相でＳＤ信号にＣＦ情報を付加することができるので、カラーフレーム間の整合を容易にとることができる。したがって、映像の解像度劣化を防ぐことができる。
【００１８】
【発明の実施の形態】
以下、本発明の実施の形態を添付の図面を参照して説明する。図面において、同一の符号は同一の要素を表す。
【００１９】
本実施の形態では、映像信号の変換において、高解像度カラー映像信号（以下、「ＨＤ信号」）を標準解像度カラー映像信号（以下、「ＳＤ信号」）にダウンコンバートする際に、基準ＳＤ信号と基準ＨＤ信号とが同期しているか否かを検出する。同期していると検出した場合は、その基準ＳＤ信号のカラーフレーム情報（以下、「ＣＦ情報」）を利用してコンバート後のＳＤ信号のＣＦ情報を生成することによって、自動的に適切な位相のＣＦ情報をＳＤ信号に付加することができる。「ＣＦ情報」とは、ＳＤ信号における水平同期パルスと、色差信号を復調するのに用いられる副搬送波との位相関係をいう。本明細書において「ＳＤ信号」は、例えば水平走査線が５２５本、１画面の走査（フレーム走査）は１／３０秒の映像信号であり、「ＨＤ信号」は、例えば水平走査線が１１２５本、１画面の走査（フレーム走査）は１／３０秒の映像信号である。以下、本発明による映像信号変換装置について説明する。
【００２０】
図１は、主として本発明による映像信号変換装置（以下、「ＶＴＲ」）１００の構成を示す。ＶＴＲ１００は、例えば放送局等の業務用に用いられるＶＴＲであり、ＨＤ信号を取得してコンポジットＳＤ信号に変換する装置である。ＶＴＲ１００は、放送局全体で信号の同期を取る目的で、外部標準解像度基準信号（以下、「外部ＳＤ基準信号」）を外部ＳＤ基準信号生成器１２０から、外部高解像度基準信号（以下、「外部ＨＤ基準信号」）を外部ＨＤ基準信号生成器１４０から受け取る。外部ＳＤ基準信号はＳＤ信号の同期信号であり、外部ＨＤ基準信号はＨＤ信号の同期信号である。なお、外部ＳＤ基準信号生成器１２０および外部ＨＤ基準信号生成器１４０の他にも、ＶＴＲ１００は、例えば外部タイムコード生成器（図示せず）等から別の基準信号を受け取ってもよい。さらにＶＴＲ１００は、外部ＳＤ基準信号生成器１２０および外部ＨＤ基準信号生成器１４０が存在しない場合でも、内部に設けられた第１基準信号生成部１２および第２基準信号生成部１４（後述）を用いてＳＤ基準信号およびＨＤ基準信号を生成して動作できる。以下では、ＶＴＲ１００の機能のうちＣＦ情報付加機能に関してのみ説明するが、他にも映像を再生・録画するための構成等が含まれ得る。以下、ＶＴＲ１００の各構成要素について説明し、その後動作を説明する。
【００２１】
ＶＴＲ１００は、基準信号生成部１０と、ＨＤ信号取得部２０と、ＣＦ情報生成部３０と、同期検出部４０と、ユーザーインターフェース５０と、基準信号制御部６０と、位相制御部７０と、変換部８０とを含む。
【００２２】
まず、基準信号生成部１０は、基準となるＨＤ信号とＳＤ信号それぞれを生成するために設けられ、第１基準信号生成部１２と、第２基準信号生成部１４とを含む。この第１基準信号生成部１２は、外部ＳＤ基準信号生成器１２０から外部ＳＤ基準信号を受け取り、その信号と同期したＳＤ信号基準信号を生成する。なお、第１基準信号生成部１２は外部ＳＤ基準信号と同期しないＳＤ基準信号を生成することも可能であり、その場合にもＳＤ信号と同じパルス幅、周期を持つＳＤ基準信号を生成する。第１基準信号生成部１２は、ＳＤ基準信号に基づいて生成したカラーフレームリセットパルスをＣＦ基準信号としてＣＦ情報生成部３０に送る。さらに第１基準信号生成部１２は、ＳＤ信号の垂直同期信号と同期信号を生成するためのクロックとを、第２基準信号生成部１４および同期検出部４０へ送る。第１基準信号生成部１２は、第２基準信号生成部１４からＨＤ信号の垂直同期信号と同期信号を生成するためのクロックとを受け取り、第１基準信号生成部１２の同期の基準として使用してＳＤ基準信号を生成することができる。続いて第２基準信号生成部１４を説明する。第２基準信号生成部１４は、外部ＨＤ基準信号生成器１４０から外部ＨＤ基準信号を受け取り、その信号と同期した基準信号を生成する。第２基準信号生成部１４も外部ＨＤ基準信号と同期しないＨＤ基準信号を生成することが可能であり、その場合にはＨＤ信号と同じパルス幅、周期を持つＨＤ基準信号を生成する。さらに第２基準信号生成部１４は、第１基準信号生成部１２からＳＤ信号の垂直同期信号とクロックとを受け取り、第２基準信号生成部１４の同期の基準として使用してＨＤ基準信号を生成することができる。第２基準信号生成部１４は、ＨＤ基準信号に基づいて生成したカラーフレームリセットパルスをＣＦ基準信号としてＣＦ情報生成部３０に送る。第２基準信号生成部１４は、ＨＤ信号の垂直同期信号および水平同期信号を、ＨＤ信号取得部２０および同期検出部４０へ送る。第２基準信号生成部１４は、ＨＤ信号の垂直同期信号と同期信号を生成するためのクロックとを、第１基準生成部１２へ送る。
【００２３】
ＨＤ信号取得部２０は、例えば、ＨＤ映像をビデオテープ等から再生する再生部である。ＨＤ信号取得部２０は、第２基準信号生成部１４からＨＤ信号の同期パルスである垂直同期信号および水平同期信号を受け取り、その同期信号に基づいて再生したＨＤ信号を変換部８０に送る。
【００２４】
ＣＦ情報（カラーフレーム情報）生成部３０は、フォーマット変換されたＳＤ信号に付加するＣＦ情報を生成する。ＣＦ情報を用いて、ＳＤ信号がどのカラーフレームの信号であるか、さらにはどのフィールドの信号であるかを特定することができる。ＣＦ情報生成部３０は、第１基準信号生成部１２および第２基準信号生成部１４から、それぞれＳＤ信号およびＨＤ信号に基づいて生成されたＣＦ基準信号（ＣＦリセットパルス）を受け取る。さらにＣＦ情報生成部３０は、基準信号制御部６０から制御信号を受け取る。この制御信号は、ＳＤ信号に基づくＣＦ基準信号またはＨＤ信号に基づくＣＦ基準信号のいずれを選択するかを制御するための信号であり、ＣＦ情報生成部３０は、この制御信号によって選択されたＣＦ基準信号に基づいてＣＦ情報を生成する。生成されたＣＦ情報は、位相制御部７０で位相を調整され、または位相制御部７０を経ずに変換部８０に入力される。
【００２５】
同期検出部４０は、受け取った信号が同期しているか否かを検出する。ここで同期検出部４０が受け取る信号とは、第１基準信号生成部１２から出力されたＳＤ信号の垂直および水平同期信号と、第２基準信号生成部１４から出力されたＨＤ信号の垂直および水平同期信号である。より具体的には、同期検出部４０は垂直同期信号に注目し、垂直同期信号同士が同期しているかを検出する。すなわち、ＳＤ信号もＨＤ信号も１／６０秒で垂直方向の帰線が行われるので、ＳＤ信号の垂直同期信号の帰線タイミングとＨＤ信号の垂直同期信号の帰線タイミングとが一致しているかどうかを検出する。双方が同期しているか否かの検出の結果は、基準信号制御部６０に出力される。なお、同期検出部４０で利用される同期信号はＳＤ信号およびＨＤ信号ともに垂直同期信号であるため、少なくともこれらの同期信号を受け取ることができるのであれば、水平同期信号は特に同期検出部４０に入力されなくともよい。
【００２６】
ユーザーインターフェース５０は、ユーザーからの指示を受け取る指示入力用のビデオデッキ等のスイッチ、ボタンまたはタッチパネル等である。ユーザーインターフェース５０は、ユーザーから、ＳＤ基準信号とＨＤ基準信号のいずれの信号に基づいてダウンコンバートを行うか、すなわちＳＤ基準信号とＨＤ基準信号のいずれを選択するかの指示を受け取る。ユーザーインターフェース５０はさらに、ユーザーから位相情報を受け取る。この位相情報は、ＣＦ情報生成部３０で生成されたＣＦ情報を表す信号（以下、「ＣＦ信号」）の遅延量を規定する情報である。ユーザーインターフェース５０は、ユーザーからの指示を基準信号制御部６０へ送る。
【００２７】
基準信号制御部６０は、ＳＤ基準信号とＨＤ基準信号のいずれを選択するかを示す制御信号を生成する。制御信号の生成は、同期検出部４０からの検出結果と、ユーザーインターフェース５０で受け取ったユーザーの指示に基づいて行われる。この制御信号はＣＦ情報生成部３０と変換部８０とに送られ、ＣＦ情報生成のための基準信号およびフォーマット変換時の基準信号の選択に利用される。基準信号制御部６０はさらに、ユーザーインターフェース５０で受け取った位相情報を位相制御部７０に送る。
【００２８】
位相制御部７０は、位相情報に基づいて、ＣＦ信号の位相を遅延させる。位相制御部７０は、ＣＦ情報と位相情報とを受け取り、その情報に基づいてＣＦ信号の位相を遅延させる。位相制御部７０は、変換部８０へ位相を遅延させたＣＦ信号を送る。
【００２９】
変換部８０は、ＨＤ信号からＳＤ信号へのフォーマット変換を行い、そのＳＤ信号を出力する。カラーフレームのないＨＤ信号からカラーフレームを持つＳＤ信号への変換は、変換部８０のコンバート部８２およびコンポジットエンコーダ８４によって以下のように行われる。まずコンバート部８２は、ＨＤ信号取得部２０で取得されたＨＤ信号を受け取り、そのＨＤ信号をダウンコンバートする。さらにコンバート部８２は、ダウンコンバートした信号を輝度信号Ｙ、色差信号ＰbおよびＰrからなるコンポーネントＳＤ信号として、コンポジットエンコーダ８４へ出力する。コンポジットエンコーダ８４は、コンポーネントＳＤ信号とＣＦ信号とを受け取り、そのＣＦ信号に基づいたＣＦ情報を含むＳＤ信号を生成して出力する。なお、コンバート部８２およびコンポジットエンコーダ８４は周知のものでよいので具体的な構成および動作は省略する。
【００３０】
以上のように構成されたＶＴＲ１００について、以下、その動作を手順を追って説明する。まずＨＤ信号をＳＤ信号にダウンコンバートするにあたり、ユーザーは、ユーザーインターフェース５０を用いて外部ＨＤ基準信号または外部ＳＤ基準信号のいずれの信号を基準としてＶＴＲ１００を動作させるかを選択する。いずれを選択するかは、ユーザーがＶＴＲ１００を利用するシステム環境等により決定すればよい。例えば、ユーザーのシステムがＨＤ信号を基準に動作している場合には外部ＨＤ基準信号を選択する。外部基準信号を利用しない場合には、基準信号生成部１０で生成される基準信号を選択してもよい。その後、ビデオテープ等からＨＤ信号の読み出しが開始される。この動作と並行して、第１基準信号生成部１２では、外部ＳＤ基準信号生成器１２０からＶＴＲ１００に入力された外部ＳＤ基準信号に基づいて、ＣＦ基準信号、ＳＤ信号の垂直および水平同期信号が生成され、それぞれＣＦ情報生成部３０と同期検出部４０とに出力される。同様に、第２基準信号生成部１４では、外部ＨＤ基準信号生成器１４０からＶＴＲ１００に入力された外部ＨＤ基準信号に基づいて、ＣＦ基準信号、ＨＤ信号の垂直および水平同期信号が生成され、それぞれＣＦ情報生成部３０と同期検出部４０とに出力される。
【００３１】
同期検出部４０は、ＳＤ信号の垂直同期信号とＨＤ信号の垂直同期信号とが同期しているか否かを検出する。検出結果およびユーザーがＳＤまたはＨＤのいずれの外部基準信号を選択入力したかによって、その後の処理で利用される信号が異なる。図２は、検出結果とユーザー入力とに基づいて、利用する信号の種類を場合分けした表を示す。外部ＨＤ基準信号は「ＥｘｔＨＤ」、外部ＳＤ基準信号は「ＥｘｔＳＤ」、垂直同期信号は「Ｖ」、水平同期信号は「Ｈ」と示されている。従来のＶＴＲでＥｘｔＨＤを選択すると、そのＣＦ情報は必ずフリーラン（「Ｆｒｅｅ  Ｒｕｎ」）となってＣＦ情報が任意に付加され、カラーフレーム間の不整合により解像度が劣化することがあった。本発明では、ＥｘｔＨＤが選択され、かつＳＤ信号の垂直同期信号とＨＤ信号の垂直同期信号とが同期している場合には、コンバート後のＳＤ信号のＣＦ情報の生成に当たり外部ＳＤ基準信号のＣＦ情報がそのまま利用される。これによりカラーフレームの整合がとれ、解像度の劣化がなくなる。コンバート後のＳＤ信号のＶ、Ｈについてはユーザーによって選択された通り、外部ＨＤ基準信号に基づいて生成される。なお、ＳＤ信号の垂直同期信号とＨＤ信号の垂直同期信号とが同期していない場合には、ＣＦ情報はフリーランによって付加される。ここで「フリーラン」とは、ＣＦ信号の位相がランダムに設定されることを意味する。ＣＦ信号のエッジはＥｘｔＨＤのＶと一致している。一方、ユーザーによってＥｘｔＳＤが選択された場合には、同期、非同期によらず、全てＥｘｔＳＤに基づいてコンバート後のＳＤ信号のＣＦ情報、Ｖ、Ｈが生成される。
【００３２】
図３は、ＣＦ基準信号とＣＦ信号を例示する図である。図３の上段に示されたパルスは、基準信号生成部１０（図１）からＣＦ情報生成部３０（図１）へ提供されるＣＦ基準信号である。図３の下段に示されたパルスは、ＣＦ情報生成部３０（図１）から位相制御部７０（図１）へ提供されるＣＦ信号である。ＣＦ基準信号から生成されたＣＦ信号は、そのまま、または必要であれば位相制御部７０（図１）により位相を遅延され、コンポジットエンコーダ８４（図１）に入力される。その結果、水平同期パルスと副搬送波との位相差が０°、９０°、１８０°、２７０°のいずれかであるＣＦ情報がダウンコンバート後のＳＤ信号に付加される。
【００３３】
本実施の形態ではさらに、ユーザーインターフェース５０から任意の遅延量を設定し、ユーザがＣＦ信号の位相を任意に遅延させることができる。ユーザーから指定された位相の遅延量は、位相制御部７０（図１）においてＣＦ信号の位相に反映される。このようにしてＣＦ情報が生成され、コンポジットエンコーダ８４（図１）に入力される。
【００３４】
一方、ＨＤ信号取得部２０（図１）で取得されたＨＤ信号はコンバート部８２（図１）に入力され、ダウンコンバートおよび色差信号への変換を経て、コンポジットエンコーダ８４（図１）に入力される。コンポジットエンコーダ８４（図１）は、受け取ったＣＦ情報および色差信号を複合し、コンポジットＳＤ信号として出力する。以上のような動作により、ＶＴＲ１００はＨＤ信号をＳＤ信号にダウンコンバートする。
【００３５】
続いて、本発明のＶＴＲ１００の別の実施の形態を説明する。上で説明したように、本発明ではさらに、ユーザーインターフェース５０から任意の遅延量を設定し、ユーザがＣＦ信号の位相を任意に遅延させることができるので、他のＳＤ信号のカラーフレームと容易に整合をとることができる。その具体的な例を図４を用いて説明する。図４は、スイッチャー４２０を用いた映像信号変換記録システムを示す図である。ＳＤ信号生成器としての２台のＶＴＲ１００、４００はいずれも本発明のＶＴＲであり、スイッチャー４２０に接続されている。ＶＴＲ１００、４００からのコンポジットＳＤ信号Ａ、Ｂの一方は、スイッチャー４２０によって適宜選択され、ＳＤ信号ＣとしてＳＤ信号記録装置４４０に記録される。ここで、本発明のＶＴＲ１００、４００を用いればユーザがＣＦ信号の位相を任意に遅延させることができるので、ＳＤ信号ＡおよびＢが混在したＳＤ信号Ｃについて、カラーフレーム間の整合を容易にとることができる。したがって、映像を劣化させることがない。なお、スイッチャー４２０に接続されたＶＴＲは２台に限られず、３台以上であってもよい。
【００３６】
【発明の効果】
本発明によれば、ＨＤ基準信号とＳＤ基準信号が同期しているか否かを検出し、同期していれば、その基準ＳＤ信号のＣＦ情報を利用してコンバート後のＳＤ信号のＣＦ情報を生成することによって、自動的に適切な位相のＣＦ情報をＳＤ信号に付加することができる。したがって、映像の解像度劣化を防ぐことができる。
【００３７】
さらに本発明によれば、ユーザが任意の位相でＳＤ信号にＣＦ情報を付加することができるので、複数のＳＤ信号を混在させてもカラーフレーム間の整合を容易にとることができる。したがって、映像の解像度劣化を防ぐことができる。
【図面の簡単な説明】
【図１】  本発明によるＶＴＲの構成を示すブロック図である。
【図２】  検出結果とユーザー入力とに基づいて、利用する信号の種類を場合分けした表である。
【図３】  ＣＦ基準信号とＣＦ信号を例示する図である。
【図４】  スイッチャーを用いた映像信号変換記録システムを示す図である。
【符号の説明】
１０  基準信号生成部
２０  ＨＤ信号取得部
３０  ＣＦ情報生成部
４０  同期検出部
５０  ユーザーインターフェース
６０  基準信号制御部
７０  位相制御部
８０  変換部
１００  ＶＴＲ
１２０  外部ＳＤ基準信号生成器
１４０  外部ＨＤ基準信号生成器
【図１】
0003683141.tif 000002
【図２】
0003683141.tif 000003
【図３】
0003683141.tif 000004
【図４】
0003683141.tif 000005